【手続補正書】
【提出日】平成25年12月18日(2013.12.18)
【手続補正１】
【補正対象書類名】明細書
【補正対象項目名】００１９
【補正方法】変更
【補正の内容】
【００１９】
本発明の請求項１に記載の発明は、アンテナ体と、開放部と、開放部に繋がってアンテナ体を内包する中空部とを有するケースと、ケースの開放部からケース内に部分的に挿入された閉栓体と、アンテナ体と電気的に接続されてかつアンテナ体から所定の方向に延びる接続端子とを備え、閉栓体は、ケースに挿入されて、中空部に面する第１の面を有する挿入部と、ケースから露出して、第１の面の反対側の第２の面を有するコネクタ部とを有し、接続端子は、挿入部の第１の面からコネクタ部の第２の面を貫通して第２の面から所定の方向に延出し、所定の方向と直角の方向でのケースの最小幅は、所定の方向と直角の方向でのコネクタ部の最小幅より小さいアンテナ装置とすることで、小型かつ挿入される車両側コネクタの変更に対して柔軟に対応可能なアンテナ装置を提供することができるという作用を有する。
【手続補正２】
【補正対象書類名】明細書
【補正対象項目名】００２０
【補正方法】変更
【補正の内容】
【００２０】
また、請求項２に記載の発明は、請求項１記載のアンテナ装置において、接続端子は、アンテナ体から延びるアンテナ体側接続端子部と、アンテナ体側接続端子部と電気的に接続されて閉栓体を貫通する閉栓体側接続端子部とを有し、閉栓体側接続端子部は閉栓体にインサート成形されて閉栓体が成形されたもので、アンテナ体側接続端子を短くすることが出来るため、請求項１記載のアンテナ装置の効果に加え、使用するアンテナ体や弾性栓を共通化するのに適したアンテナ装置を提供することができるという作用を有する。
また、請求項３に記載の発明は、請求項１記載のアンテナ装置において、コネクタ部は、所定の方向に延びて接続端子を囲む筒部と、第２の面を有して筒部を閉じる底部とを有するもので、請求項１記載のアンテナ装置の効果と同様な効果を提供することができるという作用を有する。
【手続補正３】
【補正対象書類名】明細書
【補正対象項目名】００２１
【補正方法】変更
【補正の内容】
【００２１】
また、請求項４に記載の発明は、請求項１記載のアンテナ装置において、ケースは閉栓体に接触する面を有し、ケースは、ケースの面から突出してかつ閉栓体に嵌合する第１の突出部を有し、ケースは、ケースを閉栓体に対し１８０度回転した際に一致する回転対称な位置に第１の突出部と同じ形状の別の突出部を有しないよう設けられているので、ケースが閉栓体に対して回転することを防ぎうると共に、正しい方向で組立てうるという作用を有する。
また、請求項５に記載の発明は、請求項４記載のアンテナ装置において、閉栓体はケースの面に接触する面を有し、閉栓体は、閉栓体の面から突出してかつケースに嵌合する第２の突出部を有し、閉栓体は、閉栓体をケースに対し１８０度回転した際に一致する回転対称な位置に第２の突出部と同じ形状の別の突出部を有しないよう設けられているので、請求項４記載のアンテナ装置の効果と同様な効果を提供することができるという作用を有する。
また、請求項６に記載の発明は、請求項１記載のアンテナ装置において、閉栓体はケースに接触する面を有し、閉栓体は、閉栓体の面から突出してかつケースに嵌合する突出部を有し、閉栓体は、閉栓体をケースに対し１８０度回転した際に一致する回転対称な位置に突出部と同じ形状の別の突出部を有しないよう設けられているので、請求項４記載のアンテナ装置の効果と同様な効果を提供することができるという作用を有する。
【手続補正４】
【補正対象書類名】明細書
【補正対象項目名】００２２
【補正方法】変更
【補正の内容】
【００２２】
また、請求項７に記載の発明は、請求項１記載のアンテナ装置において、閉栓体とケースの間に設けられて、ケースの開放部を封止する弾性栓と、弾性栓に挿入される挿入部を有する端子台とをさらに備え、接続端子は端子台に固定されると共に、弾性栓と接触する部分に切欠きが設けられており、挿入部は弾性栓を押圧することにより、閉栓体と接触した切欠きの部分と、挿入部が弾性栓に接触する部分とで二段の防水構造を実現することができるという作用を有する。
【手続補正５】
【補正対象書類名】明細書
【補正対象項目名】００２３
【補正方法】変更
【補正の内容】
【００２３】
さらに、請求項８に記載の発明は、請求項１記載のアンテナ装置において、接続端子は先端部と段部とを有し、接続端子の段部から先端部までの部分の太さは、段部からアンテナ体に向う部分の太さより細くしたため、複数の車両側コネクタに対応することができるため、生産効率を向上することができるという作用を有する。
【手続補正６】
【補正対象書類名】特許請求の範囲
【補正対象項目名】全文
【補正方法】変更
【補正の内容】
【特許請求の範囲】
【請求項１】
アンテナ体と、開放部と、前記開放部に繋がって前記アンテナ体を内包する中空部とを有するケースと、前記ケースの前記開放部から前記ケース内に部分的に挿入された閉栓体と、前記アンテナ体と電気的に接続されてかつ前記アンテナ体から所定の方向に延びる接続端子とを備え、前記閉栓体は、前記ケースに挿入されて、前記中空部に面する第１の面を有する挿入部と、前記ケースから露出して、前記第１の面の反対側の第２の面を有するコネクタ部とを有し、前記接続端子は、前記挿入部の前記第１の面から前記コネクタ部の前記第２の面を貫通して前記第２の面から前記所定の方向に延出し、前記所定の方向と直角の方向での前記ケースの最小幅は、前記所定の方向と直角の前記方向での前記コネクタ部の最小幅より小さいアンテナ装置。
【請求項２】
前記接続端子は、前記アンテナ体から延びるアンテナ体側接続端子部と、前記アンテナ体側接続端子部と電気的に接続されて前記閉栓体を貫通する閉栓体側接続端子部とを有し、前記閉栓体側接続端子部は前記閉栓体にインサート成形されて前記閉栓体が成形される請求項１記載のアンテナ装置。
【請求項３】
前記コネクタ部は、前記所定の方向に延びて前記接続端子を囲む筒部と、前記第２の面を有して前記筒部を閉じる底部とを有する請求項１に記載のアンテナ装置。
【請求項４】
前記ケースは前記閉栓体に接触する面を有し、前記ケースは、前記ケースの前記面から突出してかつ前記閉栓体に嵌合する第１の突出部を有し、前記ケースは、前記ケースを前記閉栓体に対し１８０度回転した際に一致する回転対称な位置に前記第１の突出部と同じ形状の別の突出部を有しない請求項１に記載のアンテナ装置。
【請求項５】
前記閉栓体は前記ケースの前記面に接触する面を有し、前記閉栓体は、前記閉栓体の前記面から突出してかつ前記ケースに嵌合する第２の突出部を有し、前記閉栓体は、前記閉栓体を前記ケースに対し１８０度回転した際に一致する回転対称な位置に前記第２の突出部と同じ形状の別の突出部を有しない請求項４に記載のアンテナ装置。
【請求項６】
前記閉栓体は前記ケースに接触する面を有し、前記閉栓体は、前記閉栓体の前記面から突出してかつ前記ケースに嵌合する突出部を有し、前記閉栓体は、前記閉栓体を前記ケースに対し１８０度回転した際に一致する回転対称な位置に前記突出部と同じ形状の別の突出部を有しない請求項１に記載のアンテナ装置。
【請求項７】
前記閉栓体と前記ケースの間に設けられて、前記ケースの前記開放部を封止する弾性栓と、前記弾性栓に挿入される挿入部を有する端子台とをさらに備え、前記接続端子は前記端子台に固定されると共に、前記弾性栓と接触する部分に切欠きが設けられており、前記挿入部は前記弾性栓を押圧する請求項１に記載のアンテナ装置。
【請求項８】
前記接続端子は先端部と段部とを有し、前記接続端子の前記段部から前記先端部までの部分の太さは、前記段部から前記アンテナ体に向う部分の太さより細い請求項１に記載のアンテナ装置。